(57)【特許請求の範囲】
【請求項１】
無線リソースを使用することにより無線通信を行う無線通信システムであって、
他の無線通信システムが無線通信を行うために使用可能な無線リソースのうちの少なくとも一部を使用することにより無線通信を行う無線通信実行手段を備え、
前記無線通信実行手段は、
前記他の無線通信システムが備える端末装置と、当該他の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定する通知部使用判定手段と、
前記通知部がいずれの端末装置によっても使用されていないと判定された場合、前記他の無線通信システムが使用可能な無線リソースのうちの、端末装置が基地局装置へデータを送信するために使用される部分であるアップリンクデータ部を無線リソースとして使用することにより無線通信を行い、一方、前記通知部が少なくとも１つの端末装置によって使用されていると判定された場合、前記他の無線通信システムが使用可能な無線リソースを使用しない無線リソース使用制御手段と、
を含み、
前記無線リソース使用制御手段は、前記通知部がいずれの端末装置によっても使用されていないと判定された場合、前記アップリンクデータ部のうちの時間軸において当該通知部に後続する部分を前記無線リソースとして使用するように構成された無線通信システム。
【請求項２】
請求項１に記載の無線通信システムであって、
前記無線リソース使用制御手段は、前記アップリンクデータ部がいずれの端末装置によっても使用されていないときに当該アップリンクデータ部を前記無線リソースとして使用し、一方、前記アップリンクデータ部が少なくとも１つの端末装置によって使用されているときに前記他の無線通信システムが使用可能な無線リソースを使用しないように構成された無線通信システム。
【請求項３】
請求項１又は請求項２に記載の無線通信システムであって、
前記無線リソースは、周波数帯域、及び、時間の範囲により特定される電波である無線通信システム。
【請求項４】
請求項１乃至請求項３のいずれかに記載の無線通信システムであって、
前記他の無線通信システムは、時分割複信方式に従って無線通信を行うように構成された無線通信システム。
【請求項５】
請求項４に記載の無線通信システムであって、
前記無線リソースは、予め定められた情報を有するプリアンブル部、基地局装置が端末装置へデータを送信するために使用される部分であるダウンリンクデータ部、前記通知部、及び、前記アップリンクデータ部、が時間軸にてこの順に繰り返し並ぶように配置された無線通信システム。
【請求項６】
請求項１乃至請求項３のいずれかに記載の無線通信システムであって、
前記他の無線通信システムは、周波数分割複信方式に従って無線通信を行うように構成された無線通信システム。
【請求項７】
請求項６に記載の無線通信システムであって、
前記無線リソースは、基地局装置が端末装置へデータを送信するために使用される部分であるダウンリンクデータ部が第１の周波数帯域に配置され、且つ、前記通知部、及び、前記アップリンクデータ部、が第２の周波数帯域に配置された無線通信システム。
【請求項８】
無線リソースを使用することにより無線通信を行う無線通信システムに適用される無線通信方法であって、
他の無線通信システムが無線通信を行うために使用可能な無線リソースのうちの少なくとも一部を使用することにより無線通信を行い、
更に、前記無線通信方法は、
前記他の無線通信システムが備える端末装置と、当該他の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定し、
前記通知部がいずれの端末装置によっても使用されていないと判定された場合、前記他の無線通信システムが使用可能な無線リソースのうちの、端末装置が基地局装置へデータを送信するために使用される部分であるアップリンクデータ部を無線リソースとして使用することにより無線通信を行い、一方、前記通知部が少なくとも１つの端末装置によって使用されていると判定された場合、前記他の無線通信システムが使用可能な無線リソースを使用せず、
前記通知部がいずれの端末装置によっても使用されていないと判定された場合、前記アップリンクデータ部のうちの時間軸において当該通知部に後続する部分を前記無線リソースとして使用する、無線通信方法。
【請求項９】
請求項８に記載の無線通信方法であって、
前記アップリンクデータ部がいずれの端末装置によっても使用されていないときに当該アップリンクデータ部を前記無線リソースとして使用し、一方、前記アップリンクデータ部が少なくとも１つの端末装置によって使用されているときに前記他の無線通信システムが使用可能な無線リソースを使用しない、無線通信方法。
【請求項１０】
第１の無線通信システムが無線通信を行うために使用する無線リソースを制御する無線リソース制御装置であって、
第２の無線通信システムが無線通信を行うために使用可能な無線リソースのうちの少なくとも一部を、前記第１の無線通信システムが無線通信を行うために当該第１の無線通信システムに使用させる無線リソース制御手段を備え、
前記無線リソース制御手段は、
前記第２の無線通信システムが備える端末装置と、当該第２の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定する通知部使用判定手段と、
前記通知部がいずれの端末装置によっても使用されていないと判定された場合、前記第２の無線通信システムが使用可能な無線リソースのうちの、端末装置が基地局装置へデータを送信するために使用される部分であるアップリンクデータ部を無線リソースとして前記第１の無線通信システムに使用させ、一方、前記通知部が少なくとも１つの端末装置によって使用されていると判定された場合、前記第２の無線通信システムが使用可能な無線リソースを前記第１の無線通信システムに使用させない無線リソース使用制御手段と、
を含み、
前記無線リソース使用制御手段は、前記通知部がいずれの端末装置によっても使用されていないと判定された場合、前記アップリンクデータ部のうちの時間軸において当該通知部に後続する部分を前記無線リソースとして前記第１の無線通信システムに使用させるように構成された無線リソース制御装置。
【請求項１１】
請求項１０に記載の無線リソース制御装置であって、
前記無線リソース使用制御手段は、前記アップリンクデータ部がいずれの端末装置によっても使用されていないときに当該アップリンクデータ部を前記無線リソースとして前記第１の無線通信システムに使用させ、一方、前記アップリンクデータ部が少なくとも１つの端末装置によって使用されているときに前記第２の無線通信システムが使用可能な無線リソースを前記第１の無線通信システムに使用させないように構成された無線リソース制御装置。
【請求項１２】
第１の無線通信システムが無線通信を行うために使用する無線リソースを制御する無線リソース制御装置に適用される無線リソース制御方法であって、
第２の無線通信システムが無線通信を行うために使用可能な無線リソースのうちの少なくとも一部を、前記第１の無線通信システムが無線通信を行うために当該第１の無線通信システムに使用させ、
更に、前記無線リソース制御方法は、
前記第２の無線通信システムが備える端末装置と、当該第２の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定し、
前記通知部がいずれの端末装置によっても使用されていないと判定された場合、前記第２の無線通信システムが使用可能な無線リソースのうちの、端末装置が基地局装置へデータを送信するために使用される部分であるアップリンクデータ部を無線リソースとして前記第１の無線通信システムに使用させ、一方、前記通知部が少なくとも１つの端末装置によって使用されていると判定された場合、前記第２の無線通信システムが使用可能な無線リソースを前記第１の無線通信システムに使用させず、
前記通知部がいずれの端末装置によっても使用されていないと判定された場合、前記アップリンクデータ部のうちの時間軸において当該通知部に後続する部分を前記無線リソースとして前記第１の無線通信システムに使用させる、無線リソース制御方法。
【請求項１３】
請求項１２に記載の無線リソース制御方法であって、
前記アップリンクデータ部がいずれの端末装置によっても使用されていないときに当該アップリンクデータ部を前記無線リソースとして前記第１の無線通信システムに使用させ、一方、前記アップリンクデータ部が少なくとも１つの端末装置によって使用されているときに前記第２の無線通信システムが使用可能な無線リソースを前記第１の無線通信システムに使用させない、無線リソース制御方法。
【請求項１４】
第１の無線通信システムが無線通信を行うために使用する無線リソースを制御する無線リソース制御装置に、
第２の無線通信システムが無線通信を行うために使用可能な無線リソースのうちの少なくとも一部を、前記第１の無線通信システムが無線通信を行うために当該第１の無線通信システムに使用させる処理を実行させ、
更に、前記無線リソース制御装置に、
前記第２の無線通信システムが備える端末装置と、当該第２の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定し、
前記通知部がいずれの端末装置によっても使用されていないと判定された場合、前記第２の無線通信システムが使用可能な無線リソースのうちの、端末装置が基地局装置へデータを送信するために使用される部分であるアップリンクデータ部を無線リソースとして前記第１の無線通信システムに使用させ、一方、前記通知部が少なくとも１つの端末装置によって使用されていると判定された場合、前記第２の無線通信システムが使用可能な無線リソースを前記第１の無線通信システムに使用させない、処理を実行させ、
前記無線リソース制御装置に、
前記通知部がいずれの端末装置によっても使用されていないと判定された場合、前記アップリンクデータ部のうちの時間軸において当該通知部に後続する部分を前記無線リソースとして前記第１の無線通信システムに使用させる、処理を実行させるための無線リソース制御プログラム。
【請求項１５】
請求項１４に記載の無線リソース制御プログラムであって、
前記無線リソース制御装置に、
前記アップリンクデータ部がいずれの端末装置によっても使用されていないときに当該アップリンクデータ部を前記無線リソースとして前記第１の無線通信システムに使用させ、一方、前記アップリンクデータ部が少なくとも１つの端末装置によって使用されているときに前記第２の無線通信システムが使用可能な無線リソースを前記第１の無線通信システムに使用させない、処理を実行させるための無線リソース制御プログラム。
【発明の詳細な説明】
【技術分野】
【０００１】
本発明は、無線リソースを使用することにより無線通信を行う無線通信システムに関する。
【背景技術】
【０００２】
無線リソースを使用することにより無線通信を行う無線通信システムが知られている。例えば、無線リソースは、周波数帯域（周波数の範囲）、及び、時間の範囲により特定される電波である。この種の無線通信システムの一つとして、特許文献１に記載の無線通信システム（第１の無線通信システム）は、他の無線通信システム（第２の無線通信システム）が無線通信を行うために使用可能な無線リソースのうちの少なくとも一部を使用することにより無線通信を行うように構成される。
【０００３】
更に、第１の無線通信システムは、第２の無線通信システムが使用している無線リソースを構成する周波数帯域を検出する。そして、第１の無線通信システムは、検出された周波数帯域により構成される無線リソースを使用しない。これにより、第２の無線通信システムが無線通信を確実に行うことができる。
【先行技術文献】
【特許文献】
【０００４】
【特許文献１】特表２００９−５３０９８４号公報
【発明の概要】
【発明が解決しようとする課題】
【０００５】
ところで、第２の無線通信システムが端末装置と基地局装置とを備える場合を想定する。この場合、基地局装置から端末装置への無線信号の送信は、常時、行われることが多い。一方、端末装置から基地局装置への無線通信は、間欠的に行われることが多い。例えば、基地局装置と通信可能な端末装置が存在しない場合、端末装置から基地局装置への無線通信は行われない。
【０００６】
従って、端末装置から基地局装置への無線通信が行われない場合、第２の無線通信システムが使用可能な無線リソースのうちの、端末装置が基地局装置へデータを送信するために使用される部分であるアップリンクデータ部を、第１の無線通信システムが使用することが好適であると考えられる。
【０００７】
ところで、基地局装置が端末装置へデータを送信するために使用される部分であるダウンリンクデータ部と、アップリンクデータ部と、は、同一の周波数帯域により構成されることが多い。従って、上述した第１の無線通信システムは、第２の無線通信システムがアップリンクデータ部を使用していない場合であっても、アップリンクデータ部を使用することができない。
【０００８】
即ち、上述した第１の無線通信システムにおいては、いずれの無線通信システムも使用しない無線リソースの量が無駄に多くなってしまう、という問題があった。
【０００９】
このため、本発明の目的は、上述した課題である「いずれの無線通信システムも使用しない無線リソースの量が無駄に多くなってしまう場合が生じること」を解決することが可能な無線通信システムを提供することにある。
【課題を解決するための手段】
【００１０】
かかる目的を達成するため本発明の一形態である無線通信システムは、無線リソースを使用することにより無線通信を行うシステムである。
【００１１】
更に、この無線通信システムは、
他の無線通信システムが無線通信を行うために使用可能な無線リソースのうちの少なくとも一部を使用することにより無線通信を行う無線通信実行手段を備え、
上記無線通信実行手段は、
上記他の無線通信システムが備える端末装置と、当該他の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定する通知部使用判定手段と、
上記通知部がいずれの端末装置によっても使用されていないと判定された場合、上記他の無線通信システムが使用可能な無線リソースのうちの、端末装置が基地局装置へデータを送信するために使用される部分であるアップリンクデータ部を無線リソースとして使用することにより無線通信を行い、一方、上記通知部が少なくとも１つの端末装置によって使用されていると判定された場合、上記他の無線通信システムが使用可能な無線リソースを使用しない無線リソース使用制御手段と、
を含む。
【００１２】
また、本発明の他の形態である無線通信方法は、無線リソースを使用することにより無線通信を行う無線通信システムに適用される方法である。
【００１３】
更に、この無線通信方法は、
他の無線通信システムが無線通信を行うために使用可能な無線リソースのうちの少なくとも一部を使用することにより無線通信を行い、
更に、上記無線通信方法は、
上記他の無線通信システムが備える端末装置と、当該他の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定し、
上記通知部がいずれの端末装置によっても使用されていないと判定された場合、上記他の無線通信システムが使用可能な無線リソースのうちの、端末装置が基地局装置へデータを送信するために使用される部分であるアップリンクデータ部を無線リソースとして使用することにより無線通信を行い、一方、上記通知部が少なくとも１つの端末装置によって使用されていると判定された場合、上記他の無線通信システムが使用可能な無線リソースを使用しない、方法である。
【００１４】
また、本発明の他の形態である無線リソース制御装置は、第１の無線通信システムが無線通信を行うために使用する無線リソースを制御する装置である。
【００１５】
更に、この無線リソース制御装置は、
第２の無線通信システムが無線通信を行うために使用可能な無線リソースのうちの少なくとも一部を、上記第１の無線通信システムが無線通信を行うために当該第１の無線通信システムに使用させる無線リソース制御手段を備え、
上記無線リソース制御手段は、
上記第２の無線通信システムが備える端末装置と、当該第２の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定する通知部使用判定手段と、
上記通知部がいずれの端末装置によっても使用されていないと判定された場合、上記第２の無線通信システムが使用可能な無線リソースのうちの、端末装置が基地局装置へデータを送信するために使用される部分であるアップリンクデータ部を無線リソースとして上記第１の無線通信システムに使用させ、一方、上記通知部が少なくとも１つの端末装置によって使用されていると判定された場合、上記第２の無線通信システムが使用可能な無線リソースを上記第１の無線通信システムに使用させない無線リソース使用制御手段と、
を含む。
【００１６】
また、本発明の他の形態である無線リソース制御方法は、第１の無線通信システムが無線通信を行うために使用する無線リソースを制御する無線リソース制御装置に適用される方法である。
【００１７】
更に、この無線リソース制御方法は、
第２の無線通信システムが無線通信を行うために使用可能な無線リソースのうちの少なくとも一部を、上記第１の無線通信システムが無線通信を行うために当該第１の無線通信システムに使用させ、
更に、上記無線リソース制御方法は、
上記第２の無線通信システムが備える端末装置と、当該第２の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定し、
上記通知部がいずれの端末装置によっても使用されていないと判定された場合、上記第２の無線通信システムが使用可能な無線リソースのうちの、端末装置が基地局装置へデータを送信するために使用される部分であるアップリンクデータ部を無線リソースとして上記第１の無線通信システムに使用させ、一方、上記通知部が少なくとも１つの端末装置によって使用されていると判定された場合、上記第２の無線通信システムが使用可能な無線リソースを上記第１の無線通信システムに使用させない、方法である。
【００１８】
また、本発明の他の形態である無線リソース制御プログラムは、
第１の無線通信システムが無線通信を行うために使用する無線リソースを制御する無線リソース制御装置に、
第２の無線通信システムが無線通信を行うために使用可能な無線リソースのうちの少なくとも一部を、上記第１の無線通信システムが無線通信を行うために当該第１の無線通信システムに使用させる処理を実行させ、
更に、上記無線リソース制御装置に、
上記第２の無線通信システムが備える端末装置と、当該第２の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定し、
上記通知部がいずれの端末装置によっても使用されていないと判定された場合、上記第２の無線通信システムが使用可能な無線リソースのうちの、端末装置が基地局装置へデータを送信するために使用される部分であるアップリンクデータ部を無線リソースとして上記第１の無線通信システムに使用させ、一方、上記通知部が少なくとも１つの端末装置によって使用されていると判定された場合、上記第２の無線通信システムが使用可能な無線リソースを上記第１の無線通信システムに使用させない、処理を実行させるためのプログラムである。
【発明の効果】
【００１９】
本発明は、以上のように構成されることにより、使用されない無線リソースの量を低減することができる。
【図面の簡単な説明】
【００２０】
【図１】本発明の第１実施形態に係る無線通信システムの概略構成を表す図である。
【図２】本発明の第１実施形態に係る無線リソースを概念的に示した説明図である。
【図３】本発明の第１実施形態に係る無線リソースを概念的に示した説明図である。
【図４】本発明の第１実施形態に係る基地局装置の機能を表すブロック図である。
【図５】本発明の第１実施形態に係る基地局装置が実行する処理を示したフローチャートである。
【図６】本発明の第１実施形態に係る基地局装置が実行する処理を示したフローチャートである。
【図７】本発明の第１実施形態の変形例に係る無線リソースを概念的に示した説明図である。
【図８】本発明の第１実施形態の変形例に係る無線リソースを概念的に示した説明図である。
【図９】本発明の第１実施形態の変形例に係る無線リソースを概念的に示した説明図である。
【図１０】本発明の第２実施形態に係る基地局装置の機能を表すブロック図である。
【図１１】本発明の第２実施形態に係る基地局装置が実行する処理を示したフローチャートである。
【図１２】本発明の第２実施形態の変形例に係る基地局装置が実行する処理を示したフローチャートである。
【図１３】本発明の第３実施形態に係る無線通信システムの機能を表すブロック図である。
【発明を実施するための形態】
【００２１】
以下、本発明に係る、無線通信システム、無線通信方法、無線リソース制御装置、無線リソース制御方法、及び、無線リソース制御プログラム、の各実施形態について図１〜図１３を参照しながら説明する。
【００２２】
＜第１実施形態＞
（構成）
図１に示したように、第１実施形態に係る無線通信システム（第１の無線通信システム）１００は、基地局装置１１０と、複数の端末装置１２０，…と、を備える。
【００２３】
無線通信システム１００は、無線リソースを使用することにより無線通信を行う。本例では、無線通信システム１００は、基地局装置１１０と、複数の端末装置１２０，…のそれぞれと、の間で無線通信を行う。また、本例では、無線リソースは、周波数帯域（周波数の範囲）、及び、時間の範囲により特定される電波である。
【００２４】
具体的には、無線通信システム１００は、他の無線通信システム（第２の無線通信システム）２００が無線通信を行うために使用可能な無線リソースのうちの一部を使用することにより無線通信を行うように構成される。
【００２５】
無線通信システム２００は、無線通信システム１００と同様に、基地局装置２１０と、複数の端末装置２２０，…と、を備える。無線通信システム２００は、無線リソースを使用することにより無線通信を行う。無線通信システム２００は、基地局装置２１０と、複数の端末装置２２０，…のそれぞれと、の間で無線通信を行う。
【００２６】
更に、無線通信システム２００は、時分割複信方式（ＴＤＤ（Ｔｉｍｅ  Ｄｉｖｉｓｉｏｎ  Ｄｕｐｌｅｘ）方式）に従って無線通信を行うように構成される。本例では、無線通信システム２００は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１６により定められた方式に従って無線通信を行うように構成される。なお、無線通信システム２００は、ＩＥＥＥ  ８０２．１６により定められた方式以外の方式（例えば、ＬＴＥ（Ｌｏｎｇ  Ｔｅｒｍ  Ｅｖｏｌｕｔｉｏｎ）方式等）に従って無線通信を行うように構成されていてもよい。
【００２７】
従って、無線通信システム２００が使用する無線リソースは、図２に示したように、予め定められた周波数帯域において、ダウンリンク部ＤＬ、及び、アップリンク部ＵＬが時間軸にてこの順に繰り返し（即ち、交互に）並ぶように配置される。
【００２８】
ダウンリンク部ＤＬは、無線リソースのうちの、基地局装置２１０が端末装置２２０，…へ、データを含む任意の情報を送信するために使用される部分である。また、アップリンク部ＵＬは、無線リソースのうちの、端末装置２２０，…が基地局装置２１０へ、データを含む任意の情報を送信するために使用される部分である。
【００２９】
即ち、無線通信システム２００は、基地局装置２１０から端末装置２２０，…へ情報が送信されるダウンリンク期間と、端末装置２２０，…から基地局装置２１０へ情報が送信されるアップリンク期間と、を交互に繰り返すように有する。本例では、ダウンリンク期間、及び、アップリンク期間のそれぞれは、予め定められた長さを有する。
【００３０】
更に、図３に示したように、各ダウンリンク部ＤＬは、プリアンブル部ＰＡと、複数のダウンリンクバースト部ＤＢ１〜ＤＢｎと、を含む。プリアンブル部ＰＡは、ダウンリンク部ＤＬのうちの、時間軸における先頭に配置される。
【００３１】
プリアンブル部ＰＡは、予め定められた情報を有する。複数のダウンリンクバースト部ＤＢ１〜ＤＢｎは、無線リソースのうちの、基地局装置２１０が端末装置２２０，…へデータを送信するために使用される部分であるダウンリンクデータ部を構成する。
【００３２】
また、各アップリンク部ＵＬは、通知部ＮＴと、複数のアップリンクバースト部ＵＢ１〜ＵＢ６と、を含む。通知部ＮＴは、アップリンク部ＵＬのうちの、時間軸における先頭に配置される。
【００３３】
通知部ＮＴは、無線リソースのうちの、端末装置２２０，…が基地局装置２１０と通信を行うための情報を端末装置２２０，…が基地局装置２１０へ通知するために使用される部分である。
【００３４】
通知部ＮＴは、予め設定された送信周期が経過する毎に端末装置２２０，…によって使用される。従って、送信周期が、時間軸にてアップリンク部ＵＬが配置される周期（本例では、１組のダウンリンク部ＤＬ及びアップリンク部ＵＬの時間軸における長さ）よりも長い場合、基地局装置２１０と通信可能な端末装置２２０，…が存在していても、通知部ＮＴが使用されているアップリンク部ＵＬと、通知部ＮＴが使用されていない（通知部ＮＴが配置されるべき通知部領域にて無線信号が存在しない）アップリンク部ＵＬと、が存在する。
【００３５】
また、本例では、通知部ＮＴは、端末装置２２０，…と基地局装置２１０との間の無線通信を制御するための情報を含む。例えば、無線通信を制御するための情報は、無線通信を同期させるための情報（例えば、電波の送信電力、周波数、及び、時間等を表す情報）を含む。例えば、通知部ＮＴは、ビーコン信号とも呼ばれる。
【００３６】
複数のアップリンクバースト部ＵＢ１〜ＵＢ６は、無線リソースのうちの、端末装置２２０，…が基地局装置２１０へデータを送信するために使用される部分であるアップリンクデータ部を構成する。
【００３７】
本例では、無線通信システム１００及び無線通信システム２００は、互いに独立した無線通信システムである。即ち、無線通信システム１００を構成する基地局装置１１０と、無線通信システム２００を構成する端末装置２２０，…と、の間で、無線通信は行われない。同様に、無線通信システム２００を構成する基地局装置２１０と、無線通信システム１００を構成する端末装置１２０，…と、の間で、無線通信は行われない。
【００３８】
また、無線通信システム２００は、無線通信システム１００に優先して無線リソースを使用する。即ち、無線通信システム２００が行う無線通信を阻害しない範囲において、無線通信システム１００は、無線通信システム２００が無線通信を行うために使用可能な無線リソースの一部を使用する無線通信実行機能を有する。
【００３９】
本例では、基地局装置１１０が無線通信実行機能を有する。なお、端末装置１２０，…が無線通信実行機能を有していてもよい。
【００４０】
（機能）
基地局装置１１０の機能は、図４に示したように、無線通信実行部（無線通信実行手段）１０を備える。
無線通信実行部１０は、他の無線通信システム（本例では、無線通信システム２００）が無線通信を行うために使用可能な無線リソースのうちの少なくとも一部を使用することにより、無線通信システム１００において無線通信を行うための機能である。
【００４１】
具体的には、無線通信実行部１０は、通知部使用判定部（通知部使用判定手段）１１と、無線リソース使用制御部（無線リソース使用制御手段）１２と、を備える。
【００４２】
通知部使用判定部１１は、無線通信システム２００が使用可能な無線リソースにおいて、通知部ＮＴが、少なくとも１つの端末装置２２０，…により使用されているか否かを判定する。より具体的に述べると、通知部使用判定部１１は、通知部特定部１１ａと、電力検出部１１ｂと、を備える。
【００４３】
通知部特定部１１ａは、無線通信システム２００が使用可能な無線リソースにおいて、通知部ＮＴが配置されている通知部領域（即ち、周波数帯域、及び、時間の範囲）を特定する。例えば、通知部領域は、レンジング領域とも呼ばれる。
【００４４】
本例では、通知部特定部１１ａは、予め設定された観測期間に亘って、無線通信システム２００において通信される無線信号（電波）を受信する。観測期間は、ダウンリンク部ＤＬ及びアップリンク部ＵＬの組を複数含むように十分に長い期間に設定される。
【００４５】
そして、通知部特定部１１ａは、受信された無線信号において、同一のサイズ、及び、同一の情報を有する領域を、プリアンブル部ＰＡが配置されているプリアンブル部領域として特定する。
【００４６】
更に、通知部特定部１１ａは、特定されたプリアンブル部領域と、予め設定された、ダウンリンク期間及びアップリンク期間の比と、に基づいて、通知部領域を特定する。
【００４７】
なお、通知部特定部１１ａは、予め設定された観測期間において、無線信号が受信された有信号期間と、無線信号が受信されなかった無信号期間と、を検出するように構成されていてもよい。
【００４８】
この場合、通知部特定部１１ａは、検出された無信号期間の最大値をアップリンク期間として推定し、推定されたアップリンク期間と、無信号期間として検出された領域と、に基づいて、通知部領域を特定する。
【００４９】
なお、通知部特定部１１ａは、無線通信システム２００が使用可能な無線リソースにおいて、通知部ＮＴが配置されている通知部領域を特定するための情報を予め記憶していてもよい。また、通知部特定部１１ａは、無線通信システム２００が使用可能な無線リソースにおいて、通知部ＮＴが配置されている通知部領域を特定するための情報を記憶する記憶装置（例えば、無線通信システム２００が備える記憶装置）から取得するように構成されていてもよい。
【００５０】
電力検出部１１ｂは、無線通信システム２００において通信される無線信号が、通知部特定部１１ａにより特定された通知部領域にて受信されたか否かを判定する。具体的には、電力検出部１１ｂは、通知部領域にて電力を検出することにより、当該通知部領域にて無線信号が受信されたか否かを判定する。
【００５１】
通知部使用判定部１１は、第１の未使用判定条件、及び、第２の未使用判定条件の両方が成立している場合、無線通信システム２００が使用可能な無線リソースにおいて、通知部ＮＴが、いずれの端末装置２２０，…によっても使用されていないと判定する。
【００５２】
一方、通知部使用判定部１１は、第１の未使用判定条件、及び、第２の未使用判定条件の少なくとも１つが成立していない場合、無線通信システム２００が使用可能な無線リソースにおいて、通知部ＮＴが、少なくとも１つの端末装置２２０，…により使用されていると判定する。
【００５３】
第１の未使用判定条件は、電力検出部１１ｂにより、無線信号が判定期間内のいずれの通知部領域においても受信されなかったと判定された、という条件である。ここで、判定期間は、予め設定され、且つ、上記送信周期を少なくとも１倍（本例では、２倍）した期間である。
【００５４】
また、第２の未使用判定条件は、上記判定期間の後に、電力検出部１１ｂにより、無線信号が通知部領域にて受信されなかったと判定された、という条件である。
【００５５】
無線リソース使用制御部１２は、通知部使用判定部１１により、通知部ＮＴが、いずれの端末装置２２０，…によっても使用されていないと判定された場合、無線通信システム２００が使用可能な無線リソースのうちのアップリンクデータ部を無線リソースとして使用することにより、基地局装置１１０と端末装置１２０，…との間で無線通信を行う。
【００５６】
本例では、アップリンクデータ部は、時間軸において通知部ＮＴに後続するように配置されている。従って、本例では、アップリンクデータ部のうちの時間軸において通知部ＮＴに後続する部分は、アップリンクデータ部の全体である。
【００５７】
なお、各アップリンク部ＵＬにおいて、アップリンクデータ部の一部のみが、時間軸にて通知部ＮＴに後続するように配置されている場合、無線リソース使用制御部１２は、当該アップリンクデータ部の一部（即ち、アップリンクデータ部のうちの時間軸において通知部ＮＴに後続する部分）のみを無線リソースとして使用するように構成されることが好適である。
【００５８】
一方、無線リソース使用制御部１２は、通知部使用判定部１１により、通知部ＮＴが少なくとも１つの端末装置２２０，…によって使用されていると判定された場合、無線通信システム２００が使用可能な無線リソースを使用しない。
【００５９】
なお、無線リソース使用制御部１２は、この場合、無線通信システム２００が使用可能な無線リソース以外の無線リソースを使用することにより、基地局装置１１０と端末装置１２０，…との間で無線通信を行うように構成されることが好適である。
【００６０】
（作動）
次に、上述した無線通信システム１００の作動について、図５及び図６に示したフローチャートを参照しながら説明する。
先ず、基地局装置１１０は、端末装置１２０，…との間で無線通信を行うために使用する無線リソースの周波数帯域を、予め定められた方式に従って決定する（図５のステップＳ１０１）。
【００６１】
次いで、基地局装置１１０は、予め定められた検出期間において、上記決定された周波数帯域を有する無線信号（本例では、無線通信システム２００において通信される無線信号）を受信したか否かを判定する（図５のステップＳ１０２）。
【００６２】
上記検出期間において、上記決定された周波数帯域を有する無線信号が受信されなかった（即ち、ステップＳ１０２にて「Ｎｏ」と判定された）場合、基地局装置１１０は、上記決定された周波数帯域を有する無線リソースの全体を使用することにより、基地局装置１１０と端末装置１２０，…との間で無線通信を行う（図５のステップＳ１０４）。
【００６３】
一方、上記検出期間において、上記決定された周波数帯域を有する無線信号が受信された（即ち、ステップＳ１０２にて「Ｙｅｓ」と判定された）場合、基地局装置１１０は、上記決定された周波数帯域を有する無線リソースの一部を使用することにより、基地局装置１１０と端末装置１２０，…との間で無線通信を行う（図５のステップＳ１０３）。このため、基地局装置１１０は、図６に示した処理を実行する。
【００６４】
具体的には、基地局装置１１０は、予め設定された観測期間に亘って、上記決定された周波数帯域を有する無線信号を受信する。そして、基地局装置１１０は、受信された無線信号において、同一のサイズ、及び、同一の情報を有する領域を、プリアンブル部ＰＡが配置されているプリアンブル部領域として特定する。
【００６５】
更に、基地局装置１１０は、特定されたプリアンブル部領域と、予め設定された、ダウンリンク期間及びアップリンク期間の比と、に基づいて、通知部領域を特定する（図６のステップＳ２０１）。
【００６６】
そして、基地局装置１１０は、上記決定された周波数帯域を有する無線信号において、上記判定期間内のすべての通知部が未使用であるか否かを判定する（図６のステップＳ２０２）。本例では、基地局装置１１０は、判定期間内のいずれの通知部領域においても無線信号が受信されなかった場合、判定期間内のすべての通知部が未使用であると判定する。
【００６７】
判定期間内の少なくとも１つの通知部ＮＴが未使用でない場合、基地局装置１１０は、判定期間内のすべての通知部が未使用となるまで待機する。
【００６８】
判定期間内のすべての通知部が未使用になると、基地局装置１１０は、上記決定された周波数帯域を有する無線信号において、上記特定された通知部領域が開始するまで待機する（図６のステップＳ２０３）。次いで、上記決定された周波数帯域を有する無線信号において、上記特定された通知部領域が開始すると、基地局装置１１０は、通知部ＮＴが未使用であるか否かを判定する（図６のステップＳ２０４）。
【００６９】
本例では、基地局装置１１０は、通知部領域において無線信号が受信されなかった場合、通知部ＮＴが未使用であると判定する。
【００７０】
通知部ＮＴが未使用である場合、基地局装置１１０は、無線通信システム２００が使用可能な無線リソースのうちの、上記通知部ＮＴに後続するアップリンクデータ部を無線リソースとして使用することにより、基地局装置１１０と端末装置１２０，…との間で無線通信を行う（図６のステップＳ２０５）。
【００７１】
次いで、基地局装置１１０は、ステップＳ２０３へ戻り、上記決定された周波数帯域を有する無線信号において、次の通知部領域が開始するまで待機する。そして、基地局装置１１０は、上述した場合と同様に、ステップＳ２０３〜ステップＳ２０５の処理を繰り返し実行する。
【００７２】
その後、通知部ＮＴが少なくとも１つの端末装置２２０，…により使用されるようになった（即ち、通知部領域において無線信号が受信された）場合を想定する。
この場合、基地局装置１１０は、ステップＳ２０４へ進んだとき、「Ｎｏ」と判定してステップＳ２０６へ進み、無線通信システム２００が使用可能な無線リソースを使用しない（図６のステップＳ２０６）。
【００７３】
次いで、基地局装置１１０は、ステップＳ２０２へ戻り、上述した場合と同様に、ステップＳ２０２〜ステップＳ２０６の処理を繰り返し実行する。
【００７４】
以上、説明したように、第１実施形態に係る無線通信システム１００によれば、無線通信システム（第１の無線通信システム）１００は、他の無線通信システム（第２の無線通信システム）２００において、基地局装置２１０と通信可能な端末装置２２０，…が存在しない場合、アップリンクデータ部を使用することにより無線通信を行うことができる。従って、使用されない無線リソースの量を低減することができる。
【００７５】
更に、無線通信システム（第１の無線通信システム）１００は、他の無線通信システム（第２の無線通信システム）２００において、基地局装置２１０と通信可能な端末装置２２０，…が存在する場合、他の無線通信システム２００が使用可能な無線リソースを使用しない。従って、第２の無線通信システム２００は、端末装置２２０，…から基地局装置２１０への無線通信を確実に行うことができる。
【００７６】
加えて、第１実施形態に係る無線通信システム１００は、通知部ＮＴがいずれの端末装置２２０，…によっても使用されていないと判定された場合、アップリンクデータ部のうちの時間軸において通知部ＮＴに後続する部分を無線リソースとして使用するように構成される。
【００７７】
これによれば、無線通信システム（第１の無線通信システム）１００は、アップリンクデータ部のうちの、通知部ＮＴが少なくとも１つの端末装置２２０，…により使用されているか否かを判定した時点以降の部分の使用の可否を決定することができる。
【００７８】
従って、無線通信システム（第１の無線通信システム）１００は、通知部ＮＴが少なくとも１つの端末装置２２０，…により使用されているか否かが変化した場合、その変化の前後において、無線リソースの使用の可否を適切に切り替えることができる。その結果、第２の無線通信システム２００が使用する無線リソースを、第１の無線通信システム１００が重複して使用することを回避することができる。即ち、第２の無線通信システム２００は、無線通信を確実に行うことができる。
【００７９】
例えば、第２の無線通信システム２００の状態が、通知部ＮＴがいずれの端末装置２２０，…によっても使用されていない状態から、通知部ＮＴが端末装置２２０，…により使用されている状態へ変化した場合、第１の無線通信システム１００は、直ちに、第２の無線通信システム２００が使用可能な無線リソースの使用を中止する。従って、端末装置２２０，…は、基地局装置２１０へ確実にデータを送信することができる。
【００８０】
なお、第１実施形態の変形例において、第１の無線通信システム１００は、通知部ＮＴが未使用である場合、無線通信システム２００が使用可能な無線リソースのうちの、上記通知部ＮＴに後続するアップリンクデータ部を無線リソースとして使用することにより、端末装置１２０，…間で無線通信を行うように構成されていてもよい。この場合、端末装置１２０，…は、無線通信実行機能を有する。
【００８１】
なお、第１実施形態の他の変形例において、通知部ＮＴは、アップリンク部ＵＬのうちの、時間軸における先頭以外の位置に配置されていてもよい。
【００８２】
この場合、基地局装置１１０は、通知部ＮＴが未使用であるとき、無線通信システム２００が使用可能な無線リソースのうちの、アップリンクデータ部のうちの時間軸において通知部ＮＴに後続する部分のみを無線リソースとして使用することにより、基地局装置１１０と端末装置１２０，…との間で無線通信を行うように構成される。
【００８３】
また、この場合、基地局装置１１０は、通知部（第１の通知部）ＮＴが未使用であるとき、無線通信システム２００が使用可能な無線リソースのうちの、第１の部分、及び、第２の部分を無線リソースとして使用するように構成されていてもよい。ここで、第１の部分は、第１の通知部ＮＴを含むアップリンク部ＵＬに含まれるアップリンクデータ部のうちの時間軸において当該第１の通知部ＮＴに後続する部分である。また、第２の部分は、時間軸にて第１の通知部ＮＴに後続する通知部（第２の通知部）ＮＴを含むアップリンク部ＵＬに含まれるアップリンクデータ部のうちの時間軸において当該第２の通知部ＮＴに先行する部分である。
【００８４】
また、第１実施形態の他の変形例において、無線通信システム２００は、周波数分割複信方式（ＦＤＤ（Ｆｒｅｑｕｅｎｃｙ  Ｄｉｖｉｓｉｏｎ  Ｄｕｐｌｅｘ）方式）に従って無線通信を行うように構成されていてもよい。
【００８５】
この場合、無線通信システム２００が使用する無線リソースは、図７に示したように、ダウンリンク部ＤＬが第１の周波数帯域に繰り返し並ぶように配置され、且つ、アップリンク部ＵＬが、第１の周波数帯域と異なる第２の周波数帯域に繰り返し並ぶように配置される。
【００８６】
各ダウンリンク部ＤＬは、ダウンリンクデータ部を含む。また、一例として、図８に示したように、各アップリンク部ＵＬは、通知部ＮＴと、アップリンクデータ部ＵＤと、を含む。通知部ＮＴは、アップリンク部ＵＬのうちの、時間軸における先頭に配置される。
【００８７】
図８に示した例においては、無線通信システム１００は、通知部ＮＴが、いずれの端末装置２２０，…によっても使用されていないと判定された場合、アップリンクデータ部ＵＤの全体を無線リソースとして使用することにより、基地局装置１１０と端末装置１２０，…との間で無線通信を行う。
【００８８】
他の例として、図９に示したように、各アップリンク部ＵＬは、通知部ＮＴと、第１のアップリンクデータ部ＵＤ１と、第２のアップリンクデータ部ＵＤ２と、を含む。第１のアップリンクデータ部ＵＤ１及び第２のアップリンクデータ部ＵＤ２は、アップリンクデータ部を構成する。
【００８９】
通知部ＮＴは、アップリンク部ＵＬのうちの、時間軸における先頭に配置される。また、通知部ＮＴは、アップリンク部ＵＬのうちの一部の周波数帯域を有する。第１のアップリンクデータ部ＵＤ１は、通知部ＮＴと同一の時間の範囲に配置され、且つ、アップリンク部ＵＬのうちの通知部ＮＴが有する周波数帯域以外の周波数帯域を有する。第２のアップリンクデータ部ＵＤ２は、時間軸において、通知部ＮＴ及び第１のアップリンクデータ部ＵＤ１に後続するように配置される。
【００９０】
図９に示した例においては、無線通信システム１００は、通知部ＮＴが、いずれの端末装置２２０，…によっても使用されていないと判定された場合、アップリンクデータ部のうちの時間軸において通知部ＮＴに後続する部分（即ち、第２のアップリンクデータ部ＵＤ２）のみを無線リソースとして使用することにより、基地局装置１１０と端末装置１２０，…との間で無線通信を行う。
【００９１】
また、第１実施形態の他の変形例において、無線通信システム１００は、基地局装置１１０及び端末装置１２０，…以外の無線リソース制御装置を備えていてもよい。
【００９２】
この場合、無線リソース制御装置は、無線通信システム２００が無線通信を行うために使用可能な無線リソースのうちの少なくとも一部を、無線通信システム１００が無線通信を行うために無線通信システム１００に使用させる無線リソース制御部（無線リソース制御手段）を備える。無線リソース制御部は、無線通信実行部１０と同様の、通知部使用判定部１１、及び、無線リソース使用制御部１２を備える。
【００９３】
また、第１実施形態の他の変形例において、基地局装置１１０は、図６のステップＳ２０５にて、基地局装置１１０と端末装置１２０，…との間で無線通信を行った結果、基地局装置１１０と端末装置１２０，…との間のデータの伝送が完了した場合、ステップＳ２０３へ戻ることなく図６の処理を終了するように構成されていてもよい。
【００９４】
＜第２実施形態＞
次に、本発明の第２実施形態に係る無線通信システムについて説明する。第２実施形態に係る無線通信システムは、上記第１実施形態に係る無線通信システムに対して、通知部が使用されている場合であっても、アップリンクデータ部が未使用である場合、アップリンクデータ部を無線リソースとして使用するように構成されている点において相違している。従って、以下、かかる相違点を中心として説明する。
【００９５】
（機能）
第２実施形態に係る基地局装置１１０の機能は、図１０に示したように、無線通信実行部（無線通信実行手段）１０Ａを備える。
無線通信実行部１０Ａは、第１実施形態に係る無線通信実行部１０が備える機能に加えて、アップリンクデータ部使用判定部１３を備える。
【００９６】
アップリンクデータ部使用判定部１３は、無線通信システム２００が使用可能な無線リソースにおいて、アップリンクデータ部が、少なくとも１つの端末装置２２０，…により使用されているか否かを判定する。より具体的に述べると、アップリンクデータ部使用判定部１３は、アップリンクデータ部特定部１３ａと、電力検出部１３ｂと、を備える。
【００９７】
アップリンクデータ部特定部１３ａは、無線通信システム２００が使用可能な無線リソースにおいて、アップリンクデータ部が配置されているアップリンクデータ部領域（即ち、周波数帯域、及び、時間の範囲）を特定する。本例では、アップリンクデータ部特定部１３ａは、通知部特定部１１ａと同様の方法を用いることによりアップリンクデータ部領域を特定する。
【００９８】
電力検出部１３ｂは、無線通信システム２００において通信される無線信号が、アップリンクデータ部特定部１３ａにより特定されたアップリンクデータ部領域にて受信されたか否かを判定する。具体的には、電力検出部１３ｂは、アップリンクデータ部領域内の予め設定された期間にて電力を検出することにより、アップリンクデータ部領域にて無線信号が受信されたか否かを判定する。
【００９９】
無線リソース使用制御部１２は、上記第１の未使用判定条件が成立していない（即ち、無線信号が判定期間内の少なくとも１つの通知部領域において受信されたと判定された）場合において、アップリンクデータ部使用判定部１３により、アップリンクデータ部がいずれの端末装置２２０，…によっても使用されていないと判定されたとき、アップリンクデータ部のうちの時間軸における当該判定後の部分を無線リソースとして使用することにより、基地局装置１１０と端末装置１２０，…との間で無線通信を行う。
【０１００】
一方、無線リソース使用制御部１２は、上記第１の未使用判定条件が成立していない場合において、アップリンクデータ部使用判定部１３により、アップリンクデータ部が少なくとも１つの端末装置２２０，…によって使用されていると判定されたとき、無線通信システム２００が使用可能な無線リソースを使用しない。
【０１０１】
（作動）
次に、上述した無線通信システム１００の作動について、図１１に示したフローチャートを参照しながら説明する。
第２実施形態に係る基地局装置１１０は、図６に示した処理に代えて、図１１に示した処理を実行する。図１１に示した処理は、図６に示した処理に、ステップＳ３０１〜ステップＳ３０５の処理を追加した処理である。
【０１０２】
具体的には、基地局装置１１０は、ステップＳ２０１の処理を実行した後、アップリンクデータ部領域を特定する（図１１のステップＳ３０１）。その後、基地局装置１１０は、ステップＳ２０２へ進み、判定期間内の通知部ＮＴが未使用であるか否かを判定する。
【０１０３】
判定期間内の通知部ＮＴが未使用である場合、基地局装置１１０は、「Ｙｅｓ」と判定して、第１実施形態と同様に、ステップＳ２０３〜ステップＳ２０６の処理を実行する。
【０１０４】
一方、判定期間内の通知部ＮＴが未使用でない場合、基地局装置１１０は、「Ｎｏ」と判定して、ステップＳ３０２へ進み、上記決定された周波数帯域を有する無線信号において、上記特定されたアップリンクデータ部領域が開始するまで待機する（図１１のステップＳ３０２）。
【０１０５】
次いで、上記決定された周波数帯域を有する無線信号において、上記特定されたアップリンクデータ部領域が開始すると、基地局装置１１０は、アップリンクデータ部が未使用であるか否かを判定する（図１１のステップＳ３０３）。
【０１０６】
本例では、基地局装置１１０は、アップリンクデータ部領域において無線信号が受信されなかった場合、アップリンクデータ部が未使用であると判定する。
【０１０７】
アップリンクデータ部が未使用である場合、基地局装置１１０は、無線通信システム２００が使用可能な無線リソースの当該アップリンクデータ部のうちの、時間軸における上記判定後の部分を無線リソースとして使用することにより、基地局装置１１０と端末装置１２０，…との間で無線通信を行う（図１１のステップＳ３０４）。
【０１０８】
次いで、基地局装置１１０は、ステップＳ２０２へ戻り、上述した場合と同様に、ステップＳ２０２〜ステップＳ３０５の処理を繰り返し実行する。
【０１０９】
一方、基地局装置１１０は、ステップＳ３０３へ進んだとき、アップリンクデータ部が未使用でない（即ち、アップリンクデータ部領域において無線信号が受信された）場合、無線通信システム２００が使用可能な無線リソースを使用しない（図１１のステップＳ３０５）。
【０１１０】
次いで、基地局装置１１０は、ステップＳ２０２へ戻り、上述した場合と同様に、ステップＳ２０２〜ステップＳ３０５の処理を繰り返し実行する。
【０１１１】
以上、説明したように、第２実施形態に係る無線通信システム１００によれば、第１実施形態に係る無線通信システム１００と同様の作用及び効果を奏することができる。
【０１１２】
更に、第２実施形態に係る無線通信システム１００によれば、無線通信システム（第１の無線通信システム）１００は、他の無線通信システム（第２の無線通信システム）２００において、基地局装置２１０と通信可能な端末装置２２０，…が存在する場合であっても、端末装置２２０，…から基地局装置２１０へ送信されるデータが存在しないとき、アップリンクデータ部を使用することにより無線通信を行うことができる。従って、使用されない無線リソースの量を低減することができる。
【０１１３】
なお、第２実施形態の変形例に係る無線通信システム１００は、通知部ＮＴが未使用でないと判定され、且つ、アップリンクデータ部が未使用であると判定される処理が連続して行われる回数が予め設定された閾値回数よりも大きい場合、アップリンクデータ部のうちの時間軸における判定後の部分を無線リソースとして使用し、一方、当該回数が当該閾値回数以下である場合、アップリンクデータ部を無線リソースとして使用しないように構成されていてもよい。更に、この変形例に係る無線通信システム１００は、アップリンクデータ部の全体を無線リソースとして使用するように構成されていてもよい。
【０１１４】
また、第２実施形態の他の変形例に係る基地局装置１１０は、図１１に示した処理に代えて、図１２に示した処理を実行するようになっている。
図１２に示した処理は、図１１に示した処理に対して、ステップＳ３０４又はステップＳ３０５の処理を実行した後に、ステップＳ３０２へ戻る点において相違している。
【０１１５】
従って、この変形例に係る無線通信システム１００によれば、第２実施形態に係る無線通信システム１００と比較して、ステップＳ２０２の処理を行うために、アップリンクデータ部を無線リソースとして使用できない期間を短くすることができる。
【０１１６】
また、第２実施形態の他の変形例において、基地局装置１１０は、図１１の、ステップＳ３０４の処理、及び、ステップＳ３０５の処理、の一方を実行した後にステップＳ２０２へ戻り、且つ、他方を実行した後にステップＳ３０２へ戻るように構成されていてもよい。
【０１１７】
＜第３実施形態＞
次に、本発明の第３実施形態に係る無線通信システムについて図１３を参照しながら説明する。
第３実施形態に係る無線通信システム１０００は、無線リソースを使用することにより無線通信を行うシステムである。
【０１１８】
更に、この無線通信システム１０００は、
他の無線通信システムが無線通信を行うために使用可能な無線リソースのうちの少なくとも一部を使用することにより無線通信を行う無線通信実行部（無線通信実行手段）１１００を備える。
【０１１９】
上記無線通信実行部１１００は、
上記他の無線通信システムが備える端末装置と、当該他の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定する通知部使用判定部（通知部使用判定手段）１１０１と、
上記通知部がいずれの端末装置によっても使用されていないと判定された場合、上記他の無線通信システムが使用可能な無線リソースのうちの、端末装置が基地局装置へデータを送信するために使用される部分であるアップリンクデータ部を無線リソースとして使用することにより無線通信を行い、一方、上記通知部が少なくとも１つの端末装置によって使用されていると判定された場合、上記他の無線通信システムが使用可能な無線リソースを使用しない無線リソース使用制御部（無線リソース使用制御手段）１１０２と、
を含む。
【０１２０】
これによれば、無線通信システム（第１の無線通信システム）１０００は、他の無線通信システム（第２の無線通信システム）において、基地局装置と通信可能な端末装置が存在しない場合、アップリンクデータ部を使用することにより無線通信を行うことができる。従って、使用されない無線リソースの量を低減することができる。
【０１２１】
更に、無線通信システム（第１の無線通信システム）１０００は、他の無線通信システム（第２の無線通信システム）において、基地局装置と通信可能な端末装置が存在する場合、他の無線通信システムが使用可能な無線リソースを使用しない。従って、第２の無線通信システムは、端末装置から基地局装置への無線通信を確実に行うことができる。
【０１２２】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１２３】
なお、上記各実施形態において無線通信システムの各機能は、回路等のハードウェアにより実現されていた。ところで、基地局装置及び端末装置のそれぞれは、処理装置と、プログラム（ソフトウェア）を記憶する記憶装置と、を備えるとともに、処理装置がそのプログラムを実行することにより、各機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１２４】
また、上記実施形態の他の変形例として、上述した実施形態及び変形例の任意の組み合わせが採用されてもよい。
【０１２５】
＜付記＞
上記実施形態の一部又は全部は、以下の付記のように記載され得るが、以下には限られない。
【０１２６】
（付記１）
無線リソースを使用することにより無線通信を行う無線通信システムであって、
他の無線通信システムが無線通信を行うために使用可能な無線リソースのうちの少なくとも一部を使用することにより無線通信を行う無線通信実行手段を備え、
前記無線通信実行手段は、
前記他の無線通信システムが備える端末装置と、当該他の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定する通知部使用判定手段と、
前記通知部がいずれの端末装置によっても使用されていないと判定された場合、前記他の無線通信システムが使用可能な無線リソースのうちの、端末装置が基地局装置へデータを送信するために使用される部分であるアップリンクデータ部を無線リソースとして使用することにより無線通信を行い、一方、前記通知部が少なくとも１つの端末装置によって使用されていると判定された場合、前記他の無線通信システムが使用可能な無線リソースを使用しない無線リソース使用制御手段と、
を含む無線通信システム。
【０１２７】
これによれば、無線通信システム（第１の無線通信システム）は、他の無線通信システム（第２の無線通信システム）において、基地局装置と通信可能な端末装置が存在しない場合、アップリンクデータ部を使用することにより無線通信を行うことができる。従って、使用されない無線リソースの量を低減することができる。
【０１２８】
更に、無線通信システム（第１の無線通信システム）は、他の無線通信システム（第２の無線通信システム）において、基地局装置と通信可能な端末装置が存在する場合、他の無線通信システムが使用可能な無線リソースを使用しない。従って、第２の無線通信システムは、端末装置から基地局装置への無線通信を確実に行うことができる。
【０１２９】
（付記２）
付記１に記載の無線通信システムであって、
前記無線リソース使用制御手段は、前記通知部がいずれの端末装置によっても使用されていないと判定された場合、前記アップリンクデータ部のうちの時間軸において当該通知部に後続する部分を前記無線リソースとして使用するように構成された無線通信システム。
【０１３０】
これによれば、無線通信システム（第１の無線通信システム）は、アップリンクデータ部のうちの、通知部が少なくとも１つの端末装置により使用されているか否かを判定した時点以降の部分の使用の可否を決定することができる。
【０１３１】
従って、無線通信システム（第１の無線通信システム）は、通知部が少なくとも１つの端末装置により使用されているか否かが変化した場合、その変化の前後において、無線リソースの使用の可否を適切に切り替えることができる。その結果、第２の無線通信システムが使用する無線リソースを、第１の無線通信システムが重複して使用することを回避することができる。即ち、第２の無線通信システムは、無線通信を確実に行うことができる。
【０１３２】
（付記３）
付記１又は付記２に記載の無線通信システムであって、
前記無線リソース使用制御手段は、前記アップリンクデータ部がいずれの端末装置によっても使用されていないときに当該アップリンクデータ部を前記無線リソースとして使用し、一方、前記アップリンクデータ部が少なくとも１つの端末装置によって使用されているときに前記他の無線通信システムが使用可能な無線リソースを使用しないように構成された無線通信システム。
【０１３３】
これによれば、無線通信システム（第１の無線通信システム）は、他の無線通信システム（第２の無線通信システム）において、基地局装置と通信可能な端末装置が存在する場合であっても、端末装置から基地局装置へ送信されるデータが存在しないとき、アップリンクデータ部を使用することにより無線通信を行うことができる。従って、使用されない無線リソースの量を低減することができる。
【０１３４】
（付記４）
付記１乃至付記３のいずれかに記載の無線通信システムであって、
前記無線リソースは、周波数帯域、及び、時間の範囲により特定される電波である無線通信システム。
【０１３５】
（付記５）
付記１乃至付記４のいずれかに記載の無線通信システムであって、
前記他の無線通信システムは、時分割複信方式に従って無線通信を行うように構成された無線通信システム。
【０１３６】
（付記６）
付記５に記載の無線通信システムであって、
前記無線リソースは、予め定められた情報を有するプリアンブル部、基地局装置が端末装置へデータを送信するために使用される部分であるダウンリンクデータ部、前記通知部、及び、前記アップリンクデータ部、が時間軸にてこの順に繰り返し並ぶように配置された無線通信システム。
【０１３７】
（付記７）
付記１乃至付記４のいずれかに記載の無線通信システムであって、
前記他の無線通信システムは、周波数分割複信方式に従って無線通信を行うように構成された無線通信システム。
【０１３８】
（付記８）
付記７に記載の無線通信システムであって、
前記無線リソースは、基地局装置が端末装置へデータを送信するために使用される部分であるダウンリンクデータ部が第１の周波数帯域に配置され、且つ、前記通知部、及び、前記アップリンクデータ部、が第２の周波数帯域に配置された無線通信システム。
【０１３９】
（付記９）
無線リソースを使用することにより無線通信を行う無線通信システムに適用される無線通信方法であって、
他の無線通信システムが無線通信を行うために使用可能な無線リソースのうちの少なくとも一部を使用することにより無線通信を行い、
更に、前記無線通信方法は、
前記他の無線通信システムが備える端末装置と、当該他の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定し、
前記通知部がいずれの端末装置によっても使用されていないと判定された場合、前記他の無線通信システムが使用可能な無線リソースのうちの、端末装置が基地局装置へデータを送信するために使用される部分であるアップリンクデータ部を無線リソースとして使用することにより無線通信を行い、一方、前記通知部が少なくとも１つの端末装置によって使用されていると判定された場合、前記他の無線通信システムが使用可能な無線リソースを使用しない、無線通信方法。
【０１４０】
（付記１０）
付記９に記載の無線通信方法であって、
前記通知部がいずれの端末装置によっても使用されていないと判定された場合、前記アップリンクデータ部のうちの時間軸において当該通知部に後続する部分を前記無線リソースとして使用する、無線通信方法。
【０１４１】
（付記１１）
付記９又は付記１０に記載の無線通信方法であって、
前記アップリンクデータ部がいずれの端末装置によっても使用されていないときに当該アップリンクデータ部を前記無線リソースとして使用し、一方、前記アップリンクデータ部が少なくとも１つの端末装置によって使用されているときに前記他の無線通信システムが使用可能な無線リソースを使用しない、無線通信方法。
【０１４２】
（付記１２）
第１の無線通信システムが無線通信を行うために使用する無線リソースを制御する無線リソース制御装置であって、
第２の無線通信システムが無線通信を行うために使用可能な無線リソースのうちの少なくとも一部を、前記第１の無線通信システムが無線通信を行うために当該第１の無線通信システムに使用させる無線リソース制御手段を備え、
前記無線リソース制御手段は、
前記第２の無線通信システムが備える端末装置と、当該第２の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定する通知部使用判定手段と、
前記通知部がいずれの端末装置によっても使用されていないと判定された場合、前記第２の無線通信システムが使用可能な無線リソースのうちの、端末装置が基地局装置へデータを送信するために使用される部分であるアップリンクデータ部を無線リソースとして前記第１の無線通信システムに使用させ、一方、前記通知部が少なくとも１つの端末装置によって使用されていると判定された場合、前記第２の無線通信システムが使用可能な無線リソースを前記第１の無線通信システムに使用させない無線リソース使用制御手段と、
を含む無線リソース制御装置。
【０１４３】
（付記１３）
付記１２に記載の無線リソース制御装置であって、
前記無線リソース使用制御手段は、前記通知部がいずれの端末装置によっても使用されていないと判定された場合、前記アップリンクデータ部のうちの時間軸において当該通知部に後続する部分を前記無線リソースとして前記第１の無線通信システムに使用させるように構成された無線リソース制御装置。
【０１４４】
（付記１４）
付記１２又は付記１３に記載の無線リソース制御装置であって、
前記無線リソース使用制御手段は、前記アップリンクデータ部がいずれの端末装置によっても使用されていないときに当該アップリンクデータ部を前記無線リソースとして前記第１の無線通信システムに使用させ、一方、前記アップリンクデータ部が少なくとも１つの端末装置によって使用されているときに前記第２の無線通信システムが使用可能な無線リソースを前記第１の無線通信システムに使用させないように構成された無線リソース制御装置。
【０１４５】
（付記１５）
第１の無線通信システムが無線通信を行うために使用する無線リソースを制御する無線リソース制御装置に適用される無線リソース制御方法であって、
第２の無線通信システムが無線通信を行うために使用可能な無線リソースのうちの少なくとも一部を、前記第１の無線通信システムが無線通信を行うために当該第１の無線通信システムに使用させ、
更に、前記無線リソース制御方法は、
前記第２の無線通信システムが備える端末装置と、当該第２の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定し、
前記通知部がいずれの端末装置によっても使用されていないと判定された場合、前記第２の無線通信システムが使用可能な無線リソースのうちの、端末装置が基地局装置へデータを送信するために使用される部分であるアップリンクデータ部を無線リソースとして前記第１の無線通信システムに使用させ、一方、前記通知部が少なくとも１つの端末装置によって使用されていると判定された場合、前記第２の無線通信システムが使用可能な無線リソースを前記第１の無線通信システムに使用させない、無線リソース制御方法。
【０１４６】
（付記１６）
付記１５に記載の無線リソース制御方法であって、
前記通知部がいずれの端末装置によっても使用されていないと判定された場合、前記アップリンクデータ部のうちの時間軸において当該通知部に後続する部分を前記無線リソースとして前記第１の無線通信システムに使用させる、無線リソース制御方法。
【０１４７】
（付記１７）
付記１５又は付記１６に記載の無線リソース制御方法であって、
前記アップリンクデータ部がいずれの端末装置によっても使用されていないときに当該アップリンクデータ部を前記無線リソースとして前記第１の無線通信システムに使用させ、一方、前記アップリンクデータ部が少なくとも１つの端末装置によって使用されているときに前記第２の無線通信システムが使用可能な無線リソースを前記第１の無線通信システムに使用させない、無線リソース制御方法。
【０１４８】
（付記１８）
第１の無線通信システムが無線通信を行うために使用する無線リソースを制御する無線リソース制御装置に、
第２の無線通信システムが無線通信を行うために使用可能な無線リソースのうちの少なくとも一部を、前記第１の無線通信システムが無線通信を行うために当該第１の無線通信システムに使用させる処理を実行させ、
更に、前記無線リソース制御装置に、
前記第２の無線通信システムが備える端末装置と、当該第２の無線通信システムが備える基地局装置と、が無線通信を行うために使用可能な無線リソースのうちの、当該端末装置が当該基地局装置と通信を行うための情報を当該端末装置が当該基地局装置へ通知するために使用される部分である通知部が、少なくとも１つの端末装置により使用されているか否かを判定し、
前記通知部がいずれの端末装置によっても使用されていないと判定された場合、前記第２の無線通信システムが使用可能な無線リソースのうちの、端末装置が基地局装置へデータを送信するために使用される部分であるアップリンクデータ部を無線リソースとして前記第１の無線通信システムに使用させ、一方、前記通知部が少なくとも１つの端末装置によって使用されていると判定された場合、前記第２の無線通信システムが使用可能な無線リソースを前記第１の無線通信システムに使用させない、処理を実行させるための無線リソース制御プログラム。
【０１４９】
（付記１９）
付記１８に記載の無線リソース制御プログラムであって、
前記無線リソース制御装置に、
前記通知部がいずれの端末装置によっても使用されていないと判定された場合、前記アップリンクデータ部のうちの時間軸において当該通知部に後続する部分を前記無線リソースとして前記第１の無線通信システムに使用させる、処理を実行させるための無線リソース制御プログラム。
【０１５０】
（付記２０）
付記１８又は付記１９に記載の無線リソース制御プログラムであって、
前記無線リソース制御装置に、
前記アップリンクデータ部がいずれの端末装置によっても使用されていないときに当該アップリンクデータ部を前記無線リソースとして前記第１の無線通信システムに使用させ、一方、前記アップリンクデータ部が少なくとも１つの端末装置によって使用されているときに前記第２の無線通信システムが使用可能な無線リソースを前記第１の無線通信システムに使用させない、処理を実行させるための無線リソース制御プログラム。
【産業上の利用可能性】
【０１５１】
本発明は、無線リソースを使用することにより無線通信を行う無線通信システム等に適用可能である。
【符号の説明】
【０１５２】
１０    無線通信実行部
１０Ａ  無線通信実行部
１１    通知部使用判定部
１１ａ  通知部特定部
１１ｂ  電力検出部
１２    無線リソース使用制御部
１３    アップリンクデータ部使用判定部
１３ａ  アップリンクデータ部特定部
１３ｂ  電力検出部
１００  無線通信システム
１１０  基地局装置
１２０，…  端末装置
２００  無線通信システム
２１０  基地局装置
２２０，…  端末装置
１０００  無線通信システム
１１００  無線通信実行部
１１０１  通知部使用判定部
１１０２  無線リソース使用制御部
【図１】
0005995270.tif 000002
【図２】
0005995270.tif 000003
【図３】
0005995270.tif 000004
【図４】
0005995270.tif 000005
【図５】
0005995270.tif 000006
【図６】
0005995270.tif 000007
【図７】
0005995270.tif 000008
【図８】
0005995270.tif 000009
【図９】
0005995270.tif 000010
【図１０】
0005995270.tif 000011
【図１１】
0005995270.tif 000012
【図１２】
0005995270.tif 000013
【図１３】
0005995270.tif 000014